(57)【特許請求の範囲】
【請求項１】
所定領域の周囲に形成された第１の導電部材と、
該第１の導電部材が形成された領域と略同一領域に形成された第２の導電部材と、
該第２の導電部材と電気的に接続されると共に、同第２の導電部材に電圧を印加する電圧発生器と、
前記第１の導電部材と電気的に接続されると共に、同第１の導電部材の電位が所定の基準電位より低くなった場合に前記電圧発生器が前記第２の導電部材に印加する電圧値を低下せしめる制御回路とを備える
電気柵。
【請求項２】
前記第１の導電部材は、設置面から所定の高さ以上に位置する
請求項１に記載の電気柵。
【請求項３】
前記第１の導電部材は、前記第２の導電部材よりも設置面から離れて位置する
請求項１または請求項２に記載の電気柵。
【請求項４】
前記制御回路は、前記第１の導電部材の電位が接地電位となった場合に前記電圧発生器が前記第２の導電部材に印加する電圧値を低下せしめる
請求項１、請求項２または請求項３に記載の電気柵。
【請求項５】
前記制御回路は、前記第１の導電部材の電位が所定の基準電位より低くなった場合に前記電圧発生器の前記第２の導電部材への電圧の印加を停止せしめる
請求項１、請求項２または請求項３に記載の電気柵。
【請求項６】
前記制御回路は、前記第１の導電部材の電位が接地電位となった場合に前記電圧発生器の前記第２の導電部材への電圧の印加を停止せしめる
請求項１、請求項２または請求項３に記載の電気柵。
【請求項７】
前記第１の導電部材及び前記第２の導電部材は電線である
請求項１、請求項２、請求項３、請求項４、請求項５または請求項６に記載の電気柵。
【請求項８】
所定領域の周囲に形成された第１の導電部材の電位が所定の基準電位よりも低い場合には、前記第１の導電部材の電位が所定の基準電位以上の電位が印加されている場合よりも、前記第１の導電部材が形成された領域と略同一領域に形成された第２の導電部材に低い電圧値を印加する工程を備える
電気柵の制御方法。
【請求項９】
絶縁材料で被覆された接続器具により前記第１の導電部材を接地する工程を備える
請求項８に記載の電気柵の制御方法。
【請求項１０】
所定領域の周囲に形成された第２の導電部材と電気的に接続されると共に、同第２の導電部材に電圧を印加する電圧発生器と、
前記第２の導電部材が形成された領域と略同一領域に形成された第１の導電部材と電気的に接続されると共に、同第１の導電部材の電位が所定の基準電位よりも低くなった場合に前記電圧発生器が前記第２の導電部材に印加する電圧値を低下せしめる制御回路とを備える
電気柵の電源装置。
【請求項１１】
所定領域の周囲に形成された第２の導電部材と電気的に接続されると共に、前記第２の導電部材が形成された領域と略同一領域に形成された第１の導電部材の電位が所定の基準電位よりも低い場合に、前記第１の導電部材の電位が所定の基準電位以上の電位が印加されている場合よりも、前記第２の導電部材に低い電圧値を印加する
電気柵の電圧発生器。
【請求項１２】
所定領域の周囲に形成された第１の導電部材と電気的に接続されると共に、同第１の導電部材の電位が所定の基準電位よりも低くなった場合に、前記第１の導電部材が形成された領域と略同一領域に形成された第２の導電部材に接続された電圧発生器から同第２の導電部材に印加する電圧値を低下せしめる
電気柵の制御回路。
【発明の詳細な説明】
【技術分野】
【０００１】
本発明は電気柵及びその制御方法、並びに、電気柵の電源装置、電気柵の電圧発生器及び電気柵の制御回路に関する。詳しくは、例えば野生動物から田畑を守るための電気柵及びその制御方法、並びに、電気柵の電源装置、電気柵の電圧発生器及び電気柵の制御回路に係るものである。
【背景技術】
【０００２】
山間地域の農村地帯では、鹿や猪などの野生動物が田畑へ侵入することを防止するために、電気柵が多く使用されている。
【０００３】
電気柵は、田畑の周囲に張り巡らせた裸電線に、電源装置内の電圧発生器から発生した電圧が印加され、この裸電線に接触した鹿や猪などの野生動物を、印加された電圧の電撃によって撃退するための柵である。
【０００４】
図７に従来の電気柵を示す。
図７に示すように、従来の電気柵１００は、田畑の周囲に打設された支柱１０２に取り付けられた碍子（１０１ａ〜１０１ｄ）に係止されて張設された裸電線（１０３ａ〜１０３ｄ）を備える。
【０００５】
また、裸電線（１０３ａ〜１０３ｄ）は、約５０ｍごとに裸電線からなる上下結線１０４で結線される。
【０００６】
さらに、裸電線（１０３ａ〜１０３ｄ）のうち地表に一番近い１段目の裸電線１０３ｄは、地表から約２０ｃｍの高さに位置しており、２段目の裸電線１０３ｃは裸電線１０３ｄから上方へ約２０ｃｍの高さに位置しており、３段目の裸電線１０３ｂは裸電線１０３ｃから上方へ約４０ｃｍの高さに位置しており、４段目の裸電線１０３ａは裸電線１０３ｂから上方へ約５０ｃｍの高さに位置する。
【０００７】
また、張設された裸電線（１０３ａ〜１０３ｄ）に印加される所定の電圧を発生する電圧発生器を有する電源装置１０５が、裸電線１０３ｃに電気的に接続されている。
【０００８】
鹿や猪などが、このような電気柵１００で囲まれた田畑に侵入しようとして、張設された裸電線（１０３ａ〜１０３ｄ）に接触すると、鹿や猪などには、図７の矢印のように電源装置１０５の出力端子１０６、電源装置１０５の出力線１０７、裸電線１０３ｃ、上下結線１０４、裸電線（１０３ａ、１０３ｂおよび１０３ｄ）、鹿や猪などの野生動物１０８、地中１０９、アース棒１１０、アース線１１１、そしてアース端子１１２の順路で、動物や人間などに、衝撃を与えることができるほど高い電流（衝撃電流）が流れる。
【０００９】
これによって、鹿や猪などの野生動物１０８は、電撃を受けて撃退される。
【００１０】
ところで、この電気柵１００への通電中に、田畑に人が入る必要が発生する場合がある。それは、除草や施肥、その他の場合である。この場合、通電中の数段の裸電線（１０３ａ〜１０３ｄ）の隙間を掻い潜り、田畑に入らなければならない。しかし、当然ながら図８に示すように、人は裸電線（１０３ａ〜１０３ｄ）に接触するので、電撃を受けてしまい容易に田畑へ入ることができない。
【００１１】
そこで、通電中に人が田畑へ入るために、図９に示すようなゲートと呼ばれる器具が使用される場合がある。
【００１２】
図９に示すように、絶縁性の材料で筒状に形成された器具１２０の略中央部に長手方向に挿通された導電線の一端は、フック状に加工された金属片１２１に電気的に接続されている。
また、フック状の金属片１２１は、受金具１２５に引っ掛けられて、その受金具１２５は裸電線１２６に電気的に接続されている。
【００１３】
また、導電線の他端は、円状に加工された金属片１２２に電気的に接続されている。また、円状の金属片１２２には、螺旋状のスプリング１２３が取付けられ、そのスプリング１２３には裸電線１２４が接続されている。
【００１４】
このようにして、裸電線１２６と裸電線１２４は、ゲートを介して電気的に接続された状態である。
また、図１０に示すように、ゲートは、張設された裸電線（１０３ａ〜１０３ｄ）の各段に取付けられている。
【００１５】
次に、ゲートの使用法は以下のとおりである。
人が田畑に侵入しようとする場合、図１１に示すように、絶縁性の材料で筒状に形成された器具１２０を手で握り、フック状の金属片１２１を受金具１２５から取り外し、通電を遮断する
【００１６】
そして、図１１に示すように、ゲートが取外された場所から、人は田畑へ侵入する。
【００１７】
また、例えば特許文献１には、図１２に示すような電気柵の出入り口が記載されている。すなわち、特許文献１に記載された電気柵の出入り口の構成は、次のとおりである。
【００１８】
一対の本体支柱（２０３Ａ、２０３Ｂ）の一方の本体支柱２０３Ａに、ネット２０２を張った本体枠（２０１Ａ〜２０１Ｄ）を構成する左右枠の一方の枠２０１Ｃを蝶着部（２０４Ａ、２０４Ｂ）により開閉可能に支持し、他方の本体支柱２０３Ｂに、左右枠の他方の枠２０１Ａを固定する手段２０５が設けられている。
【００１９】
また、左右枠（２０１Ａ、２０１Ｃ）の上部の裸電線（２０８Ａ〜２０８Ｄ）は、蝶着部（２０４Ａ、２０４Ｂ）を設けた左右枠の一方の枠２０１Ｃ側の裸電線（２０９Ａ〜２０９Ｄ）と給電用電線（２１０Ａ〜２１０Ｄ）によって電気的に接続する。
【００２０】
また、特許文献１に記載の電気柵の出入り口の使用法は以下のとおりである。
本体枠２０１Ａを固定する手段２０５の固定を解除し、本体枠を手前に引けば、蝶着部（２０４Ａ、２０４Ｂ）を軸に本体枠２０１が開き、自由に出入りができる。閉めるときは、本体枠２０１を閉じた後、本体枠２０１Ａを再度、固定する手段２０５で固定する。
【先行技術文献】
【特許文献】
【００２１】
【特許文献１】特開平１１−２０６３０５号公報
【発明の概要】
【発明が解決しようとする課題】
【００２２】
このように、従来の電気柵では、ゲートを取外したり、本体枠を開いたりして、電気柵で囲まれた田畑に人が感電することなく侵入できるが、感電せずに侵入できるのは、ゲートや出入り口（以下、「ゲート等」）の設置場所からだけであり、任意の場所から田畑へ侵入することができなかった。
【００２３】
また、周囲５００ｍに張り巡らされた電気柵において、ゲート等の設置箇所は通常２〜３箇所である。
【００２４】
この場合、田畑の任意の場所に侵入するには、ゲート等の設置箇所まで移動し、ゲートの接続を図１１のように解除したり、本体枠の固定を解除したりして、その位置から田畑に侵入し、除草等の作業終了後、ゲート等から電気柵の外に出て、再び、ゲートの接続や本体枠の固定を行なわなければならない。
【００２５】
従って、電気柵で囲まれた田畑への侵入に時間と労力がかかり、不便である。
【００２６】
また、ゲート等の設置箇所を増やすことも考えられるが、ゲート等の設置箇所を増やすと、費用が増大してしまい、さらに、碍子（１０１ａ〜１０１ｄ）に裸電線（１０３ａ〜１０３ｄ）を係止する場合に比べて、ゲート等の設置には多くの手間がかかる。
【００２７】
また、ゲート等を全く使用しない場合もあり、この場合はさらに不便である。
この場合、田畑の任意の場所に侵入するには、図７に示すように、電気柵１００の裸電線（１０３ａ〜１０３ｄ）に沿って、電源装置１０５の設置場所まで移動し、電源装置１０５の電源スイッチ１５５をオフにして通電を止める。
【００２８】
その後、侵入すべき場所に戻り、数段の裸電線（１０３ａ〜１０３ｄ）の隙間を掻い潜り、田畑へ侵入する。除草作業等の終了後、再び数段の裸電線（１０３ａ〜１０３ｄ）の隙間を掻い潜り、電気柵１００の外に出て、更に、電源装置１０５の設置場所まで移動し、電源装置１０５の電源スイッチ１５５をオンにしなければならない。
【００２９】
このように、従来の電気柵は、人が感電せずに電気柵を通り抜けるためには、ゲート等の設置箇所や電源装置の設置箇所まで、わざわざ移動しなければならず不便であったので、任意の箇所において人が感電せず通り抜けることができる電気柵が求められていた。
【００３０】
本発明は、以上の点に鑑みて創案されたものであり、人が感電することなく所望の位置で通り抜けることができる電気柵、このような電気柵の制御方法、このような電気柵に使用される電源装置、このような電気柵に使用される電圧発生器、並びにこのような電気柵に使用される制御回路を提供することを目的とする。
【課題を解決するための手段】
【００３１】
上記の目的を達成するために、本発明の電気柵は、所定領域の周囲に形成された第１の導電部材と、該第１の導電部材が形成された領域と略同一領域に形成された第２の導電部材と、該第２の導電部材と電気的に接続されると共に、同第２の導電部材に電圧を印加する電圧発生器と、前記第１の導電部材と電気的に接続されると共に、同第１の導電部材の電位が所定の基準電位より低くなった場合に前記電圧発生器が前記第２の導電部材に印加する電圧値を低下せしめる制御回路とを備える。
【００３２】
ここで、第１の導電部材と電気的に接続されると共に、第１の導電部材の電位が所定の基準電位より低くなった場合に電圧発生器が第２の導電部材に印加する電圧値を低下せしめる制御回路によって、任意の場所で第１の導電部材の電位を所定の基準電位より低くするだけで、第２の導電部材に印加される電圧値が低下するので、電圧値が低下した第２の導電部材に人が触れても、柵内に入ったり柵から出たりすることができる。
【００３３】
また、第１の導電部材と第２の導電部材が略同一領域に形成されていることによって、第１の導電部材の電位を低くしたその場所で、電圧値が低下した第２の導電部材に人が触れても、柵内に入ったり柵から出たりすることができる。
【００３４】
また、制御回路は第１の導電部材と電気的に接続されていることによって、例えば無線信号による制御回路の制御に比べて、障害物などを気にすることなく、確実に制御することができる。
【００３５】
なお、本発明において、低下する前の第２の導電部材の電圧値は、人や野生動物などが第２の導電部材に触れると衝撃を受ける程度の大きさであり、低下した第２の導電部材の電圧値は、人や野生動物などが第２の導電部材に触れても衝撃を受けない程度の大きさであることとする。
【００３６】
また、本発明の電気柵において、第１の導電部材は、設置面から所定の高さ以上に位置することとすることができる。
【００３７】
この場合、例えば、生長した数十本の草が第１の導電部材に届かず、第１の導電部材に接触し難くなるので、生長した数十本の草が第１の導電部材に接触することで第１の導電部材の電位が所定の基準電位より低くなってしまう（即ち、接地電位になる）ことを防ぐことができる。
【００３８】
また、本発明の電気柵において、第１の導電部材は、第２の導電部材よりも設置面から離れて位置することとすることができる。
【００３９】
この場合、地面からの高さが低い野生動物（例えば、猪）は、第１の導電部材に接触する前に第２の導電部材に接触するので、第１の導電部材にのみ接触して感電せずに電気柵内に侵入してしまうことを防ぐことができる。
【００４０】
また、本発明の電気柵において、制御回路は、第１の導電部材の電位が接地電位となった場合に電圧発生器が第２の導電部材に印加する電圧値を低下せしめることとすることができる。
また、本発明の電気柵において、制御回路は、第１の導電部材の電位が接地電位となった場合に電圧発生器の第２の導電部材への電圧の印加を停止せしめることとすることができる。
【００４１】
これらの場合、例えば、導線の一端を第１の導電部材に接触させ、他端を地面に接触させて、第１の導電部材の電位を接地電位にするだけで、柵内に入ったり柵から出たりすることができるようになる。
【００４２】
また、本発明の電気柵において、制御回路は、第１の導電部材の電位が所定の基準電位より低くなった場合に電圧発生器の第２の導電部材への電圧の印加を停止せしめることとすることができる。
【００４３】
また、本発明の電気柵において、第１の導電部材及び第２の導電部材は電線であることとすることができる。
この場合、電気柵の設置場所が、起伏や段差の多い場所でも、板状の導電部材よりも設置しやすく、風の影響も少ない。
【００４４】
また、上記の目的を達成するために、本発明の電気柵の制御方法は、所定領域の周囲に形成された第１の導電部材の電位が所定の基準電位よりも低い場合には、前記第１の導電部材の電位が所定の基準電位以上の電位が印加されている場合よりも、前記第１の導電部材が形成された領域と略同一領域に形成された第２の導電部材に低い電圧値を印加する工程を備える。
【００４５】
ここで、このような工程によって、任意の場所で第１の導電部材の電位を所定の基準電位より低くするだけで、電圧値が低下した第２の導電部材に人が触れても、柵内に入ったり柵から出たりすることができる。
【００４６】
また、第１の導電部材と第２の導電部材が略同一領域に形成されていることによって、第１の導電部材の電位を低くしたその場所で、電圧値が低下した第２の導電部材に人が触れても、柵内に入ったり柵から出たりすることができる。
【００４７】
また、本発明の電気柵の制御方法が、絶縁材料で被覆された接続器具により第１の導電部材を接地する工程を備える場合、接続器具を第１の導電部材に接触させて接地するので、簡単に第１の導電部材の電位を所定の基準電位より低くすることができる。
また、この場合、接続器具は絶縁材料で被覆されているので、第２の導電部材に接続器具が接触しても感電のおそれは無い。
【００４８】
また、上記の目的を達成するために、本発明の電気柵の電源装置は、所定領域の周囲に形成された第２の導電部材と電気的に接続されると共に、同第２の導電部材に電圧を印加する電圧発生器と、前記第２の導電部材が形成された領域と略同一領域に形成された第１の導電部材と電気的に接続されると共に、同第１の導電部材の電位が所定の基準電位よりも低くなった場合に前記電圧発生器が前記第２の導電部材に印加する電圧値を低下せしめる制御回路とを備える。
【００４９】
ここで、第１の導電部材と第２の導電部材が略同一領域に形成されていることによって、第１の導電部材の電位を低くしたその場所で、電圧値が低下した第２の導電部材に人が触れても、感電することがない。
【００５０】
また、上記の目的を達成するために、本発明の電気柵の電圧発生器は、所定領域の周囲に形成された第２の導電部材と電気的に接続されると共に、前記第２の導電部材が形成された領域と略同一領域に形成された第１の導電部材の電位が所定の基準電位よりも低い場合に、前記第１の導電部材の電位が所定の基準電位以上の電位が印加されている場合よりも、前記第２の導電部材に低い電圧値を印加するものである。
【００５１】
ここで、第１の導電部材と第２の導電部材が略同一領域に形成されていることによって、第１の導電部材の電位を低くしたその場所で、電圧値が低下した第２の導電部材に人が触れても、感電することがない。
【００５２】
また、上記の目的を達成するために、本発明の電気柵の制御回路は、所定領域の周囲に形成された第１の導電部材と電気的に接続されると共に、同第１の導電部材の電位が所定の基準電位よりも低くなった場合に、前記第１の導電部材が形成された領域と略同一領域に形成された第２の導電部材に接続された電圧発生器から同第２の導電部材に印加する電圧値を低下せしめるものである。
【００５３】
ここで、第１の導電部材と第２の導電部材が略同一領域に形成されていることによって、第１の導電部材の電位を低くしたその場所で、電圧値が低下した第２の導電部材に人が触れても、感電することがない。
【発明の効果】
【００５４】
本発明に係る電気柵は、人が感電することなく所望の位置で通り抜けることができる。
本発明に係る電気柵の制御方法は、人が感電することなく所望の位置で通り抜けることができるよう電気柵を制御できる。
本発明に係る電気柵の電源装置は、電気柵を、人が感電することなく所望の位置で通り抜けることができるようにすることができる。
本発明に係る電気柵の電圧発生器は、電気柵を、人が感電することなく所望の位置で通り抜けることができるようにすることができる。
本発明に係る電気柵の制御回路は、電気柵を、人が感電することなく所望の位置で通り抜けることができるようにすることができる。
【図面の簡単な説明】
【００５５】
【図１】本発明の電気柵の一構成例を示す概略図である。
【図２】本発明の電気柵の設置態様の一例を示す概略図である。
【図３】本発明の電気柵の設置態様の他の例を示す概略図である。
【図４】本発明の電気柵の第１の電線を接地して人が電気柵を掻い潜る様子を示す概略図である。
【図５】スイッチング素子としてＰＮＰ型トランジスタを用いた、本発明の電源装置の回路構成の一例を示す概略図である。
【図６】スイッチング素子としてＰチャンネルＭＯＳ電界効果トランジスタを用いた、本発明の電源装置の回路構成の一例を示す概略図である。
【図７】従来の電気柵の設置態様を示す概略図である。
【図８】人が通電中の従来の電気柵を掻い潜る様子を示す概略図である。
【図９】従来の電気柵に使用されるゲートの構成を示す概略図である。
【図１０】図９に示されたゲートを使用した従来の電気柵を示す概略図である。
【図１１】従来の電気柵のゲートが取外された状態を示す概略図である。
【図１２】従来の電気柵の出入り口の構成を示す概略図である。
【発明を実施するための形態】
【００５６】
以下、本発明の実施の形態について図面を参照しながら説明し、本発明の理解に供する。
図１は、本発明の電気柵の一構成例を示す概略図である。
【００５７】
図１において、本発明の電気柵１は、所定領域（例えば、田畑領域）の周囲に立設された支柱２２に張設された第１の電線（第１の導電部材の一例である。）２を備える。第１の電線２は、裸電線である。
【００５８】
また、本発明の電気柵１は、同じく支柱２２に張設されると共に第２の電線（第２の導電部材の一例である。）３を備える。
また、第２の電線３は、４本の裸電線（３Ａ〜３Ｄ）で構成されており、図に示すように、４本の裸電線（３Ａ〜３Ｄ）は互いに所定の長さで離して略平行に張設されている。
【００５９】
すなわち、地表に一番近い１段目の裸電線３Ｄは、地表から約２０ｃｍの高さに位置しており、２段目の裸電線３Ｃは裸電線３Ｄから上方へ約２０ｃｍの高さに位置しており、３段目の裸電線３Ｂは裸電線３Ｃから上方へ約４０ｃｍの高さに位置しており、４段目の裸電線３Ａは裸電線３Ｂから上方へ約５０ｃｍの高さに位置する。
【００６０】
また、４本の裸電線（３Ａ〜３Ｄ）は、約５０ｍごとに裸電線からなる上下結線４で結線される。
【００６１】
また、第１の電線２は、４段目の裸電線３Ａから上方へ約３０ｃｍの高さに位置しており、第１の電線２と第２の電線３は互いに略平行である。
【００６２】
また、第１の電線２は、地表から５段目の碍子２１Ｅに係止して支柱２２に張設されている。
また、第２の電線３を構成する１段目の裸電線３Ｄは地表から１段目の碍子２１Ｄに係止して、２段目の裸電線３Ｃは２段目の碍子２１Ｃに係止して、３段目の裸電線３Ｂは２段目の碍子２１Ｂに係止して、そして４段目の裸電線３Ａは４段目の碍子２１Ａに係止してそれぞれ支柱２２に張設されている。
【００６３】
また、本発明の電気柵１は、出力端子６と、出力線７と、第２の電線３に電気的に接続されると共に、第２の電線３に電圧を印加する電圧発生器５６を備える。
【００６４】
また、本発明の電気柵１は、第１の電線用端子５９と、被覆電線１５と、５段目の碍子２１Ｅとを介して第１の電線２に電気的に接続されると共に、第１の電線２の電位が所定の基準電位より低くなった場合に電圧発生器５６が第２の電線３に印加する電圧値を低下せしめる制御回路２４を備える。
【００６５】
また、第１の電線２の電位を所定の基準電位より低くする方法としては、例えば、図１に示される、絶縁材料３１で被覆された導電性の接続器具２３の一端にある金属製のフック２３Ａを第１の電線２に接触させると共に、接続器具２３の他端にある金属製のアース棒２３Ｂを地中に差し込み、接地する方法が挙げられる。
【００６６】
ここで、接続器具の一端は、必ずしもフック形状でなくてもよく、例えばクリップ形状とすることもできる。また、接続器具の他端は、必ずしも棒状でなくてもよく、例えば板状とすることもできるし、尖らせてもよい。
【００６７】
また、電圧発生器５６と制御回路２４は、電源装置５に内蔵されており、電源装置５は、電源６０と電源スイッチ５５を有する。
【００６８】
また、制御回路２４は、スイッチング素子として、リレーの巻線５３とリレーのＢ接点５４を有し、さらにこれらを作動させるためのＮＰＮ型トランジスタ５２と、論理回路のインバータ５１を有する。
【００６９】
また、第１の電線２と電気的に接続する第１の電線用端子５９は、制御回路２４のインバータ５１の入力点に接続され、この接続点には抵抗器Ｒ１を介して電源６０の電圧が印加されている。
【００７０】
また、インバータ５１の出力点には、ＮＰＮ型トランジスタ５２のベースが接続されている。
また、ＮＰＮ型トランジスタ５２のコレクタには、スイッチング素子であるリレーの巻線５３の一端が接続されている。
【００７１】
また、リレーの巻線５３の他端には、電源６０のプラス側が接続され、ＮＰＮ型トランジスタ５２のエミッタには、電源６０のマイナス側が接続されている。
【００７２】
また、電源６０のマイナス側は、電圧発生器５６のアース端子１２に接続されており、アース端子１２はアース棒１０に接続され、大地に接地されている。
また、リレーのＢ接点５４は、電圧発生器５６の電源入力点に接続されている。
【００７３】
ここで、第１の電線が最上段に張設されているが、電気柵が、所定領域の周囲に形成された第１の導電部材と、第１の導電部材が形成された領域と略同一領域に形成された第２の導電部材と、第２の導電部材と電気的に接続されると共に、第２の導電部材に電圧を印加する電圧発生器と、第１の導電部材と電気的に接続されると共に、第１の導電部材の電位が所定の基準電位より低くなった場合に電圧発生器が第２の導電部材に印加する電圧値を低下せしめる制御回路とを備えるのであれば、必ずしも第１の電線が最上段に張設されていなくてもよい。
【００７４】
例えば、第１の電線を、４本の裸電線（第２の電線）の間に張設することもできる。
【００７５】
しかし、第１の電線が最上段に張設されていれば、第１の電線と第２の電線を区別し易くなり、また、地面からの高さが低い猪などが、第１の電線に接触する前に第２の電線に接触するので、第１の電線にのみ接触して感電せずに電気柵内に侵入してしまうことを防ぐことができ、好ましい。
【００７６】
また、第１の電線の色を、第２の電線の色と違う色にすることにより、第１の電線がはっきり判り、第１の電線を見誤ることを防ぐことができる。
【００７７】
また、第１の導電部材及び第２の導電部材の例として電線を挙げているが、電気柵が、所定領域の周囲に形成された第１の導電部材と、第１の導電部材が形成された領域と略同一領域に形成された第２の導電部材と、第２の導電部材と電気的に接続されると共に、第２の導電部材に電圧を印加する電圧発生器と、第１の導電部材と電気的に接続されると共に、第１の導電部材の電位が所定の基準電位より低くなった場合に電圧発生器が第２の導電部材に印加する電圧値を低下せしめる制御回路とを備えるのであれば、必ずしも電線でなくてもよく、例えば導電板を用いてもよい。
【００７８】
しかし、電線であれば、電気柵の設置場所が、起伏や段差の多い場所でも、導電板よりも設置しやすく、風の影響も少ないので好ましい。
【００７９】
図２は、本発明の電気柵の設置態様の一例を示す概略図である。
鹿や猪などが、このような電気柵１で囲まれた田畑に侵入しようとして、張設された裸電線（３Ａ〜３Ｄ）に接触すると、鹿や猪などには、図２の矢印のように電源装置５の出力端子６、電源装置５の出力線７、裸電線３Ｃ、上下結線４、裸電線（３Ａ、３Ｂ及び３Ｄ）、鹿や猪などの野生動物８、地中９、アース棒１０、アース線１１、そしてアース端子１１２の順路で、動物や人間などに、衝撃を与えることができるほど高い電流（衝撃電流）が流れる。
【００８０】
図３は、本発明の電気柵の設置態様の他の例を示す概略図である。図３に示すように、本発明の電機柵１は、第１の電線２や、第２の電線３によって田畑を完全に囲まずに、一部が岩壁４１など別の物体であってもよい。
【００８１】
なお、図３では、岩壁を利用した例を示したが、例えば電気柵の一部が建築物の外壁であってもよい。
【００８２】
次に、本発明の電気柵の機構を説明する。
図１に示すように、電源スイッチ５５が「オン」であり、接続器具２３によって第１の電線２を接地していない場合、第１の電線２には、抵抗器Ｒ１を通して電源６０の電圧が与えられている。
【００８３】
また、このときインバータ５１の入力は「Ｈ」（高）であるので出力は「Ｌ」（低）である。よって、ＮＰＮ型トランジスタ５２は「オフ」であるから、リレーの巻線５３は励磁されていない。従って、リレーのＢ接点５４は閉じている（導通している）ので、電圧発生器５６にはリレーのＢ接点５４を通って電源６０の電圧が印加され、電圧が発生する。
【００８４】
発生した電圧は、第２の電線３（裸電線（３Ａ〜３Ｄ））に印加され、人や野生動物などが裸電線（３Ａ〜３Ｄ）に接触すると衝撃を受ける。なお、第１の電線２には、電圧発生器５６の電圧は印加されていない。
【００８５】
また、図４は、本発明の電気柵の第１の電線を接地して人が電気柵を掻い潜る様子を示す概略図であるが、図４に示すように、接続器具２３のアース棒２３Ｂを地中に差し込むと共に、接続器具２３のフック２３Ａを第１の電線２に引っ掛けて第１の電線２を接地する。すなわち、第１の電線２の電位を所定の基準電位よりも低くする。
【００８６】
すると、制御回路２４のインバータ５１の入力に、アース抵抗Ｒ０が接続されたことになる。なお、抵抗器Ｒ１の抵抗値（２００ｋΩ以上）は、通常のアース抵抗値の１０〜２０倍の値に設定されている。
【００８７】
アース抵抗Ｒ０がインバータ５１の入力に接続されたことにより、インバータ５１の入力は「Ｌ」（低）になる。すると、インバータ５１の出力は「Ｈ」（高）となり、ＮＰＮ型トランジスタ５２は「オン」（導通）となる。その結果、リレーの巻線５３は励磁され、リレーのＢ接点５４は開く（導通しなくなる）ので、電圧発生器５６には電源６０の電圧が印加されなくなり、電圧の発生は停止する。すなわち、第２の電線３に印加される電圧値を低下させる。
【００８８】
このように、任意の場所で接続器具２３のアース棒２３Ｂを地中に差し込むと共に、接続器具２３のフック２３Ａを第１の電線２に引っ掛けて第１の電線２を接地している間は、電圧発生器５６が電圧を発生しないので、図４に示すように、この間に人は、感電することなく第２の電線３を掻い潜り、田畑へ侵入して除草等を行うことができる。
【００８９】
そして、除草等が終了して、人が再び感電することなく第２の電線３を掻い潜り、電気柵の外側に出て接続器具２３を取外すと、図１に示すような回路状態に戻ったことになる。
【００９０】
すなわち、第１の電線２とアース間が遮断され、アース抵抗Ｒ０がなくなったことになる。すると、制御回路２４のインバータ５１の入力は「Ｈ」（高）となり、出力は「Ｌ」（低）となる。
【００９１】
よって、ＮＰＮ型トランジスタ５２は「オフ」であるから、リレーの巻線５３は励磁されていない。従って、リレーのＢ接点５４は閉じている（導通している）ので、電圧発生器５６にはリレーのＢ接点５４を通って電源６０の電圧が印加され、電圧が発生する。
そして再び、電圧発生器５６が発生した電圧によって野生動物などを撃退できる電気柵として作動する。
【００９２】
また、本発明の制御回路の例として、リレースイッチを用いた制御回路を挙げて説明したが、その他のスイッチング素子を用いてもよい。例えば、図５に示すように、スイッチング素子としてＰＮＰ型トランジスタ６１を用いてもよいし、また、図６に示すように、スイッチング素子としてＰチャンネルＭＯＳ電界効果トランジスタ６２を用いてもよい。
【００９３】
また、制御回路が、第１の導電部材と電気的に接続されると共に、第１の導電部材の電位が所定の基準電位より低くなった場合に電圧発生器が第２の導電部材に印加する電圧値を低下せしめるのであれば、その他のスイッチング素子を用いてもよいことは勿論である。
【００９４】
また、スイッチング素子としてリレーを用いた例を説明したが、制御回路が、第１の導電部材と電気的に接続されると共に、第１の導電部材の電位が所定の基準電位より低くなった場合に電圧発生器が第２の導電部材に印加する電圧値を低下せしめるのであれば、例えば、トランジスタやサイリスタＧＴＯなどの他の素子を使用できる。
【００９５】
また、検出手段として論理回路のインバータを使用した例を説明したが、制御回路が、第１の導電部材と電気的に接続されると共に、第１の導電部材の電位が所定の基準電位より低くなった場合に電圧発生器が第２の導電部材に印加する電圧値を低下せしめるのであれば、例えば、トランジスタなど他の素子を使用することもできる。
【００９６】
以上のように、本発明の電気柵は、第１の導電部材と電気的に接続されると共に、第１の導電部材の電位が所定の基準電位より低くなった場合に電圧発生器が第２の導電部材に印加する電圧値を低下せしめる制御回路を備えるので、所望の位置で第１の導電部材を接続器具を用いて接地して第１の導電部材の電位を所定の基準電位より低くするだけで、第２の導電部材に印加される電圧値が低下する即ち、電圧発生器が電圧発生を停止するので、電圧値が低下した第２の導電部材に人が触れても、柵内に入ったり柵から出たりすることができる。
【００９７】
また、図２に示されているように、第２の導電部材（第２の電線）と同じように、第１の導電部材（第１の電線）も田畑の周りを囲んでいるので、接続器具で第１の電線を接地したその場所で、特定の他の場所に移動する必要もなく、また、第２の電線に触れても感電することなく、柵内に入ったり柵から出たりすることができる。
【００９８】
よって、本発明の電気柵は、人が感電することなく所望の位置で通り抜けることができる。
従って、本発明の電気柵であれば、電気柵に囲まれた田畑に人が出入りするとき、従来の電気柵のように、わざわざゲート等の位置まで移動する必要がなく、所望の位置で接続器具を用いて第１の電線を接地するだけで、その場で感電することなく電気柵に囲まれた田畑に出入りすることができるので、田畑の除草や施肥などの管理が安全かつ容易に、そして短時間で行なうことができる。
【００９９】
よって、時間と労力を大幅に軽減することができ、農業経営上著しく有益である。
【０１００】
また、本発明の電気柵の制御方法、電源装置、電圧発生器、並びに制御回路も、第１の導電部材の電位が所定の基準電位より低くなった場合に電圧発生器が第２の導電部材に印加する電圧値を低下するという作用を発揮するので、上記のような効果を有する電気柵を提供できる。
【符号の説明】
【０１０１】
１    電気柵
２    第１の電線
３    第２の電線
３Ａ  ４段目の裸電線
３Ｂ  ３段目の裸電線
３Ｃ  ２段目の裸電線
３Ｄ  １段目の裸電線
４    上下結線
５    電源装置
６    出力端子
７    出力線
８    野生動物
９    地中
１０    アース棒
１１    アース線
１２    アース端子
１５    被覆電線
２１Ａ  ４段目の碍子
２１Ｂ  ３段目の碍子
２１Ｃ  ２段目の碍子
２１Ｄ  １段目の碍子
２１Ｅ  ５段目の碍子
２２    支柱
２３    接続器具
２３Ａ  フック
２３Ｂ  アース棒
２４    制御回路
３１    絶縁材料
４１    岩壁
５１    インバータ
５２    ＮＰＮ型トランジスタ
５３    リレーの巻線
５４    リレーのＢ接点
５５    電源スイッチ
５６    電圧発生器
５９    第１の電線用端子
６０    電源
６１    ＰＮＰ型トランジスタ
６２    ＰチャンネルＭＯＳ電界効果トランジスタ
Ｒ１    抵抗器
【要約】
【課題】人が感電することなく所望の位置で通り抜けることができる電気柵、電気柵の制御方法、電気柵の電源装置、電気柵の電圧発生器、並びに電気柵の制御回路を提供する。
【解決手段】電源スイッチ５５が「オン」であり、接続器具２３によって第１の電線２を接地していない場合、電圧発生器５６にはリレーのＢ接点５４を通って電源６０の電圧が印加され、電圧が発生する。発生した電圧は、第２の電線３（裸電線（３Ａ〜３Ｄ））に印加され、人や野生動物などが裸電線（３Ａ〜３Ｄ）に接触すると衝撃を受ける。接続器具２３のアース棒２３Ｂを地中に差し込むと共に、接続器具２３のフック２３Ａを第１の電線２に引っ掛けて第１の電線２を接地する。その結果、リレーの巻線５３は励磁され、リレーのＢ接点５４は開くので、電圧発生器５６には電源６０の電圧が印加されなくなり、電圧の発生は停止する。
【選択図】図１【図１】
0004671312.tif 000002
【図２】
0004671312.tif 000003
【図３】
0004671312.tif 000004
【図４】
0004671312.tif 000005
【図５】
0004671312.tif 000006
【図６】
0004671312.tif 000007
【図７】
0004671312.tif 000008
【図８】
0004671312.tif 000009
【図９】
0004671312.tif 000010
【図１０】
0004671312.tif 000011
【図１１】
0004671312.tif 000012
【図１２】
0004671312.tif 000013